(57)【要約】【課題】合成画像の再生が容易となるように記録媒体への出力を行う。【解決手段】制御装置２０では、制御部により患者が撮影された各撮影画像を用いて合成画像を生成し、当該合成画像とともに、合成画像をフィルムに分割して出力する分割領域を示し、当該分割領域より大きい出力範囲が定められている出力枠を表示部により表示させる。操作部によりフィルムへの出力指示操作がなされると、合成画像からその出力枠に定められた出力範囲内の画像を抽出する。そして、出力条件等を指示する出力制御情報を生成し、抽出した画像上に分割領域の境界を示す指標としてカットラインのマーカ画像を合成し、これを出力画像として出力制御情報とともに通信部２４によりフィルム出力装置４０に送信させ、フィルム出力装置４０によりフィルム出力を行わせる。【選択図】図１
2006175136.tif 000002
【特許請求の範囲】
【請求項１】
被写体を複数領域に分けて撮影することにより得られた各撮影画像を用いて被写体に対応する合成画像を生成する合成画像生成手段と、その合成画像を複数のシート状記録媒体に分割して出力する出力手段とを備えた画像出力システムにおいて、
前記合成画像を表示する表示手段と、
前記表示された合成画像上に、記録媒体へ分割して出力する分割領域を示し、当該分割領域より大きい出力範囲が定められている出力枠を表示させる表示制御手段と、
前記出力枠の移動操作を行うための操作手段と、
前記移動された位置で出力枠に定められた出力範囲内の合成画像を前記出力手段により記録媒体上に出力させるとともに、当該出力範囲内の合成画像上に前記出力枠により示される分割領域の境界を示す指標を出力させる出力制御手段と、
を備えることを特徴とする画像出力システム。
【請求項２】
前記出力制御手段は、前記指標として、前記出力枠に対応する画像領域とその他の領域との境界を示すマーカ画像を当該合成画像とともに出力させることを特徴とする請求項１に記載の画像出力システム。
【請求項３】
前記出力制御手段は、前記指標として、前記出力枠に対応する画像領域以外の領域に所定の画像処理を施して出力させることを特徴とする請求項１に記載の画像出力システム。
【発明の詳細な説明】
【技術分野】
【０００１】
本発明は、被写体を複数領域に分けて撮影した各撮影画像を合成し、その合成画像を複数領域に分割してシート状記録媒体上に出力する画像出力システムに関する。
【背景技術】
【０００２】
医療の分野では、サイズが大きい被写体を検査撮影し、その撮影画像を読影する際には、複数枚のカセッテを用いて撮影対象の被写体を複数領域毎に分けて撮影し、後にそれぞれのカセッテから読み取った各画像を画像処理により合成してモニタ上に表示している（例えば、特許文献１参照）。
【０００３】
例えば、図１０に示すように、３枚のカセッテを用いて足部分の撮影を行った場合、全ての領域について漏れなく撮影するため、通常はカセッテを部分的に重ねて撮影することが多い。よって、カセッテから読み取られた各撮影画像には重複部分が生じるため、これらの撮影画像の合成時には、３つの画像の重ね合わせ処理を行い、重複部分を排除していた。
【０００４】
このように生成された合成画像は、縮小処理を施すことにより１枚のフィルムに収めて出力することが可能であるが、撮影画像を観察して人体に埋め込むボルトのサイズを決定する等、診断目的により実際のサイズが重要となる場合にはライフサイズ（実際の撮影画像と等倍のサイズをいう）でフィルムに出力する場合がある。
【０００５】
ライフサイズで出力する場合には、図１０に示すように合成前の各撮影画像をそれぞれ別のフィルムに出力し、それを技師がフィルム上に出力された撮影画像を確認しながら、各フィルムの重複部分を重ね合わせる位置を目視で決定し、その位置でフィルムをカットしてテープ等で接着することにより、合成画像を再生していた。以下、一連のフィルムが結合されて合成画像が再生されたものを結合フィルムという。
【特許文献１】特開平１０−２６８４５１号公報
【発明の開示】
【発明が解決しようとする課題】
【０００６】
しかし、フィルム出力装置によっては、図１０に示すようにフィルムの先端又は後端部分に、画像を記録しない領域や、撮影条件又は出力条件等を記録するための領域（図中、色を付した領域。以下、非画像領域という）を設けるものもある。このような場合には、フィルム同士を接着する際に、つなぎ目部分に存在する非画像領域を除去（カット）しなければならないため、技師にとっては作業工程が増え、結合フィルムの作成は煩雑な作業となっていた。
【０００７】
また、各撮影画像には、例えば素抜け領域（人体を介さずにＸ線が透過した領域。画像上では高濃度で現れる。）や、非照射野領域（鉛板等のＸ線遮蔽手段によりＸ線の照射を遮蔽した領域）等のように、読影の主対象とならない領域が含まれている場合がある。従来は、このような読影に不必要な領域も含めて全てフィルムに出力していたので、作成した結合フィルムの量が増えてかさばるとともに、フィルム資源に無駄が生じていた。
【０００８】
本発明の課題は、合成画像の再生が容易となるように出力を行うことができる画像出力システムを提供することである。
【課題を解決するための手段】
【０００９】
請求項１に記載の発明は、画像出力システムにおいて、
被写体を複数領域に分けて撮影することにより得られた各撮影画像を用いて被写体に対応する合成画像を生成する合成画像生成手段と、その合成画像を複数のシート状記録媒体に分割して出力する出力手段とを備えた画像出力システムにおいて、
前記合成画像を表示する表示手段と、
前記表示された合成画像上に、記録媒体へ分割して出力する分割領域を示し、当該分割領域より大きい出力範囲が定められている出力枠を表示させる表示制御手段と、
前記出力枠の移動操作を行うための操作手段と、
前記移動された位置で出力枠に定められた出力範囲内の合成画像を前記出力手段により記録媒体上に出力させるとともに、当該出力範囲内の合成画像上に前記出力枠により示される分割領域の境界を示す指標を出力させる出力制御手段と、
を備えることを特徴とする。
【００１０】
請求項２に記載の発明は、請求項１に記載の画像出力システムにおいて、
前記出力制御手段は、前記指標として、前記出力枠に対応する画像領域とその他の領域との境界を示すマーカ画像を当該合成画像とともに出力させることを特徴とする。
【００１１】
請求項３に記載の発明は、請求項１に記載の画像出力システムにおいて、
前記出力制御手段は、前記指標として、前記出力枠に対応する画像領域以外の領域に所定の画像処理を施して出力させることを特徴とする。
【発明の効果】
【００１２】
請求項１に記載の発明によれば、記録媒体に合成画像とともに出力された指標により、出力枠内の分割領域の境界を判別することができる。合成画像が分割されて出力された各記録媒体を合成方向に結合し、合成画像を再生する際には、撮影画像の重複部分や、撮影条件等が記録される領域等、合成画像の再生に不要な領域が存在する場合がある。このような場合には、記録媒体上に出力された指標に従って、各記録媒体における分割領域の境界部分を裁断することにより、合成画像の再生に不要な領域を正確に、かつ容易に除去することができる。よって、合成画像を容易に再生することができる。
【００１３】
請求項２に記載の発明によれば、マーカ画像を指標として、記録媒体を容易に裁断することができる。
【００１４】
請求項３に記載の発明によれば、分割領域と所定の画像処理が施された領域との境界を指標として、記録媒体を容易に裁断することが可能となる。
【発明を実施するための最良の形態】
【００１５】
まず、構成を説明する。
図１に、本実施形態における画像出力システム１のシステム構成を示す。
図１に示すように、画像出力システム１は、画像生成装置１０、制御装置２０、読影端末３０、フィルム出力装置４０を備えて構成されている。各装置１０〜４０は、ＬＡＮ（Local Area Network）等の通信ネットワークＮを介して接続されている。なお、図１では、画像生成装置１０、フィルム出力装置４０が２台づつ、制御装置２０、読影端末３０が１台づつ接続された例を示したが、台数は特に限定しない。
【００１６】
画像生成装置１０は、患者の撮影画像のデジタルデータを生成するものである。画像生成装置１０としては、カセッテから撮影画像を読み取ってそのデジタルデータを生成するカセッテ専用の読取装置や、Ｘ線を検出する検出手段を内蔵して撮影を行うとともにその撮影画像のデジタルデータを生成するＣＲ（Computed Radiography）、ＣＴ（Computed Tomography）等の撮影読取装置、或いはＸ線に限らず、ＭＲＩ装置や超音波撮影装置等の撮影読取装置等が適用可能である。
【００１７】
また、フラットパネルディテクタ（以下、ＦＰＤ；Flat Panel Detectorという）も適用可能である。ＦＰＤは、例えば特開平６−３４２０９８号に記載されているように、照射されたＸ線の強度に応じた電荷を生成するＸ線検出素子と、このＸ線検出素子による生成された電荷を蓄積するコンデンサとが２次元的に配列されたものであり、被写体のＸ線画像を撮像して電気信号として出力する。
【００１８】
また、フィルムに記録された撮影画像をスキャンしてデジタルデータとして読み取るフィルムディジタイザ等も適用可能である。
【００１９】
画像生成装置１０は、制御装置２０の制御に従って、患者が撮影された撮影画像の読取処理を実行し、当該読み取られた撮影画像を制御装置２０に転送する。
【００２０】
制御装置２０は、画像生成装置１０の撮影画像の読取動作を制御し、各画像生成装置１０により読み取られた撮影画像のデータを取得して当該取得された撮影画像をデータベース化して管理するとともに、その撮影画像のフィルム出力を制御する。
【００２１】
なお、制御装置２０は、図示しないＲＩＳ（Radiology Information System；放射線科内の情報を管理する情報システム）やＨＩＳ（Hospital Information System；病院内の情報を管理する情報システム）に接続可能であり、これら情報システムから撮影に関する指示情報である撮影オーダ情報を受信する。撮影オーダ情報とは、医師からの依頼を受け付けて発行されたものであり、撮影対象の患者の患者ＩＤ、氏名、性別等の患者情報や、検査を示す検査ＩＤ、その検査で指定された撮影部位、撮影方法等の検査に関する検査情報等を含むものである。制御装置２０は、この撮影オーダ情報を、画像生成装置１０から受信された撮影画像に付帯させて、各撮影画像のデータベース化及び管理を行う。
【００２２】
図２に、制御装置２０の内部構成を示す。
図２に示すように、制御装置２０は、制御部２１、操作部２２、表示部２３、通信部２４、プログラムメモリ２５、画像メモリ２６を備えて構成されている。
【００２３】
制御部２１は、ＣＰＵ（Central Processing Unit）、ＲＡＭ（Random Access Memory）等から構成され、プログラムメモリ２５に記憶されるシステムプログラムや、本発明に係る合成出力処理プログラム（図３参照）等の各種制御プログラムをＲＡＭに展開し、当該展開された制御プログラムに従って各部を集中制御する。
【００２４】
合成出力処理では、患者が撮影された各撮影画像を用いて合成画像を生成し、表示部２３により表示させる。また、合成画像上に、フィルムに分割して出力する画像領域（以下、分割領域という）を示す出力枠を表示させる。この出力枠には、出力枠より大きい所定の出力範囲を予め定めておき、操作部２２を介して技師により選択操作されたフィルム枚数分だけ表示させる。そして、操作部２２を介して出力枠の移動操作が行われると、制御部２１はその操作に応じて各出力枠を移動して表示させる。
【００２５】
そして、移動した先で操作部２２によりフィルムへの出力指示操作がなされると、合成画像からその出力枠に定められた出力範囲内の画像を抽出する。そして、抽出した画像上に出力枠に対応する分割領域とその他の領域との境界を示す指標としてカットラインのマーカ画像を合成し、これを出力画像として出力制御情報とともに通信部２４によりフィルム出力装置４０に送信させ、フィルム出力装置４０によりフィルム出力を行わせる。
すなわち、合成出力処理プログラムと制御部２１との協働により、合成画像生成手段、表示制御手段及び出力制御手段を実現することができる。
【００２６】
操作部２２は、数字キー、文字キー、各種機能キーを含むキーボードや、表示部２３と一体に構成されるタッチパネル、マウス等を備えて構成される操作手段であり、これらの操作に対応する操作信号を生成して制御部２１に出力する。
【００２７】
表示部２３は、ＬＣＤ（Liquid Crystal Display）等を備えて構成される表示手段であり、制御部２１の表示制御に従って、合成画像の操作画面やフィルムへの出力範囲の設定画面等の各種操作画面や、制御部２１による処理結果等を表示する。
【００２８】
通信部２４は、ＮＩＣ（Network Interface Card）、モデム等により構成され、画像装置１０、読影端末３０、フィルム出力装置４０の各外部装置と通信ネットワークＮを介してデータの送受信を行う。
【００２９】
プログラムメモリ２５は、システムプログラム、合成出力処理プログラム等の各種制御プログラムや、それらプログラムの実行に必要なパラメータ、或いはプログラムの実行により処理されたデータ等を記憶する。
【００３０】
画像メモリ２６は、大容量メモリから構成され、撮影画像、或いは合成画像をデータベース化して記憶する。
【００３１】
図１に戻り、他の装置について説明する。
読影端末３０は、読影医が撮影画像を読影するための表示装置であり、ＬＣＤ等の表示手段を備えて、制御装置２０により配信された撮影画像の画像データを表示する。
【００３２】
フィルム出力装置４０は、制御装置２０により配信された撮影画像をフィルム上に出力する出力手段である。フィルム出力装置４０は、複数のサイズのフィルムに出力可能であり、制御装置２０から撮影画像とともに受信された出力制御情報に従って、指定されたサイズのフィルムに指定された出力条件で撮影画像を出力する。
【００３３】
次に、上記画像出力システム１の動作について説明する。
まず、画像出力システム１では、ＲＩＳ、ＨＩＳ等において発行された撮影オーダ情報に従って、技師の撮影操作により対象患者の撮影が行われる。本実施形態では、結合フィルムを作成するために３枚のカセッテを用いて撮影が行われたこととする。次いで、画像生成装置１０において各カセッテから画像読取が行われて撮影画像のデータが生成される。生成された各撮影画像のデータは制御装置２０に送信され、制御装置２０では、各撮影画像と対応する撮影オーダ情報が検索され、当該撮影オーダ情報が画像に関する関連情報として撮影画像に付帯される。
【００３４】
次いで、制御装置２０では、各撮影画像から合成画像が生成され、その後、フィルムへの出力処理が行われる。以下、このときに制御装置２０において実行される合成出力処理について、図３〜図９を参照して説明する。
【００３５】
図３に、合成出力処理の流れを示す。
図３に示す合成出力処理では、まず制御部２１の表示制御により合成画像を作成するための操作画面ｄ１（図４参照）が表示され、操作画面ｄ１では、図４に示すように各撮影画像ｇ１〜ｇ３がカーソルキーｋ１とともに表示部２３上に表示される。また、これらの各撮影画像ｇ１〜ｇ３が縦に並べて合成された合成画像ｇ４が制御部２１により生成されて表示される（ステップＳ１）。
【００３６】
表示当初は、単に各撮影画像が並べて配置されているのみであるが、この状態から技師により操作部２２を介してカーソルキーｋ１が操作されると、制御部２１の表示制御により撮影画像ｇ１〜ｇ３が上下左右に移動され、その移動に伴って合成画像ｇ４における撮影画像ｇ１〜ｇ３の合成位置が移動される。よって、技師は、カーソルキーｋ１を操作して撮影画像ｇ１〜ｇ３の合成位置を移動させることにより、隣接する各撮影画像で重複して撮影された画像領域を重ね合わせるように、合成画像ｇ４を調整することができる。
【００３７】
また、操作画面ｄ１では、合成画像の出力に使用するフィルムのサイズ及び向きを選択するための選択キーｋ３が設けられているととともに、使用するフィルム枚数を入力するための入力領域ｋ４が設けられている。技師は、選択キーｋ３により所望のフィルムサイズ及び向きを選択操作するとともに、入力領域ｋ４において出力したいフィルム枚数を入力する。本実施形態では、フィルム枚数として「３」枚が選択されたこととする。
【００３８】
なお、予め制御部２１において合成画像のサイズに基づき、出力可能なフィルムサイズを判断し、出力可能であると判断されたフィルムサイズのみ選択可能に選択キーｋ２が設けられることとする。また、技師により選択されたフィルムのサイズ及び向きから、入力されたフィルム枚数が過剰であるか否かを制御部２１において判断し、過剰である場合はその旨警告表示し、再度フィルム枚数を入力させるものとする。
【００３９】
上記設定画面ｄ２において、操作部２２によりフィルムのサイズ及び向き、フィルム枚数が選択操作され（ステップＳ２）、出力ボタンｋ２が押下操作されると、合成画像ｇ４についてフィルムの出力範囲を設定するための設定画面ｄ２（図５参照）が表示部２３上に表示される。設定画面ｄ２では、制御部２１の表示制御により、合成画像ｇ４とともに、その合成画像ｇ４上にフィルムへの出力範囲を示す出力枠Ｗ１〜Ｗ３が表示される（ステップＳ３）。
【００４０】
図６を参照して、出力枠Ｗ１〜Ｗ３について説明する。なお、各撮影画像が合成された合成方向において、合成を開始する端部を始端、合成を終了する端部を終端とする。
出力枠Ｗ１〜Ｗ３は、合成画像を分割して出力する分割領域を決定するためのものである。この出力枠Ｗ１〜Ｗ３には、予めフィルムに出力可能な出力範囲が定められており、出力枠Ｗ１〜Ｗ３は実際の出力範囲より小さいサイズに設定され、設定画面ｄ２上で表示される。
【００４１】
そして、設定画面ｄ２では、このような出力枠Ｗ１〜Ｗ３を上下左右に移動させるためのカーソルキーｋ１が合成画像ｇ４の周辺に表示される。技師により操作部２２を介してカーソルキーｋ１が操作されると、制御部２１により出力枠Ｗ１〜Ｗ３が上下左右に移動される。各出力枠Ｗ１〜Ｗ３は、始端側の出力枠Ｗ１から順にその位置が設定されていくが、位置設定の対象となっている出力枠に連動してその下部に位置する出力枠が移動する。
【００４２】
例えば、図７（ａ）に示すように、出力枠Ｗ１について出力位置を設定する場合、出力枠Ｗ１を移動操作すると、他の出力枠Ｗ２、３が出力枠Ｗ１の移動に伴って移動する。そして、出力枠Ｗ１の位置が設定され、固定されると、図７（ｂ）に示すように、次に出力枠Ｗ２が自由に移動操作可能となり、この出力枠Ｗ２の移動に伴って出力枠Ｗ３が移動する。なお、現在位置の設定対象となっている出力枠を技師が識別できるように、制御部２１の表示制御により、設定画面ｄ２では、現在位置設定の対象となっている出力枠は実線で、対象外の出力枠は点線で表示させる。
【００４３】
技師は、移動後の出力枠Ｗ１〜Ｗ３の位置を見てさらに移動が必要であればカーソルキーｋ１を操作する。そして、出力枠Ｗ１〜Ｗ３により出力範囲を確認して、その出力範囲で出力するか否かを決定し、フィルムへ出力する場合はＯＫキーｋ５を押下し、出力を指示する。
【００４４】
制御部２１では、カーソルキーｋ１の操作に応じた出力枠Ｗ１〜Ｗ３の移動が繰り返され、移動の操作が終了すると、制御部２１により各出力枠Ｗ１〜Ｗ３の位置が移動後の位置に固定される（ステップＳ４）。その後、ＯＫキーｋ５が押下操作され、フィルムへの出力指示がなされると、合成画像から各出力枠Ｗ１〜Ｗ３に定められた出力範囲内の画像が抽出され、当該抽出された画像上に出力枠Ｗ１〜Ｗ３に対応する分割領域とその他の領域の境界を示すカットラインのマーカ画像が合成され、これが出力画像としてフィルム出力装置４０に出力される。このとき、制御部２１によりフィルムサイズや向き等の出力条件を指示する出力制御情報が生成され、出力画像とともにフィルム出力装置４０に送信される（ステップＳ５）。フィルム出力装置４０では、出力制御情報に従って、出力画像がフィルム上に出力される。
【００４５】
図８を参照して、出力画像のフィルム出力について説明する。
図８（ａ）に示すように、出力枠Ｗ１〜Ｗ３（図中、実線で示す）の位置が設定された場合、各出力枠により決定される出力範囲（図中、点線で囲む領域）内の画像が合成画像から抽出されてフィルムに順次出力される。
図８（ｂ）に、出力されたフィルム例を示す。各フィルムＦ１〜Ｆ３には、フィルム全体に出力範囲内の合成画像が出力されており、出力枠Ｗ１〜Ｗ３に対応する分割領域とその他の領域との境界に、つまり出力枠Ｗ１〜Ｗ３の先端及び後端のエッジに、カットラインが出力されている。
【００４６】
よって、技師は、このカットラインに沿ってフィルムＦ１〜Ｆ３を裁断して分割領域以外の領域を除去後、フィルムＦ１〜Ｆ３の先端又は後端を合成方向に結合することにより、図８（ｃ）に示すように、合成画像が再生された結合フィルムＦ４を作成することができる。
【００４７】
なお、出力枠Ｗ１〜Ｗ３により分割領域とその他の領域との境界を示す指標となるのであれば、カットラインではなく、図９に示すように、枠内画像の領域以外は全て黒く塗りつぶす、或いは何も出力せず低濃度とするように制御部２１において画像処理を施した後、出力することとしてもよい。この場合、技師は黒く塗りつぶされた、或いは低濃度の領域と、分割領域との境界部分を目印として裁断し、黒く塗りつぶされた、或いは低濃度の領域を除去後、フィルムＦ１〜Ｆ３を結合して結合フィルムＦ４を作成すればよい。
【００４８】
以上のように、本実施形態によれば、合成画像を分割して複数のフィルムに出力する際に、実際の出力範囲より小さいサイズの出力枠Ｗ１〜Ｗ３を合成画像上に表示させる。そして合成画像から出力枠Ｗ１〜Ｗ３により決定された出力範囲内の画像を抽出し、当該抽出画像上に出力枠Ｗ１〜Ｗ３に対応する分割領域とその他の領域との境界を示すカットラインのマーカ画像を合成し、これをフィルム出力装置４０によりフィルム出力させる。これにより、技師はフィルム上に表示されたカットラインに沿ってフィルムＦ１〜Ｆ３を正確な位置で裁断することができる。また、裁断部分もカットラインに沿って直線とすることができ、フィルム同士を正確に結合して、容易に、かつ正確に合成画像を再生することができる。
【００４９】
フィルム上には、常に画像が正立して出力されるとは限らず、画像の書き出し位置のズレや、フィルムの位置ズレにより、フィルムに対して画像が若干傾斜して出力される場合もある。このような場合には、上記のように分割領域のみが得られるようにフィルムを裁断することにより、正確に合成画像を再現することができる。
【００５０】
また、フィルム出力装置４０によっては、出力するフィルム全てに無条件に非画像領域を設け、撮影条件等の各種情報を画像とともに出力するものがある。このような場合、始端と終端のフィルムにより挟まれる中央部分のフィルムについては、非画像領域部分を裁断して除去しなければならないため、技師の作業が煩雑となる。しかし、本発明によれば、出力枠Ｗ１〜Ｗ３により抽出される分割領域以外は裁断されるようにカットラインを出力するので、非画像領域が設けられている場合であっても、カットラインに沿って裁断することにより不要な領域として除去することができる。
【００５１】
また、出力枠Ｗ１〜Ｗ３を、実際の出力範囲より小さいサイズで表示するので、各出力枠Ｗ１〜Ｗ３を別々に移動操作可能な構成とすることができる。出力枠Ｗ１〜Ｗ３が実際の出力範囲と同じサイズで表示された場合、各出力枠Ｗ１〜Ｗ３についてそれぞれ別に移動操作可能とすると、技師の操作ミスにより出力枠間で隙間が生じた場合、その隙間の領域の画像は出力されなくなってしまい、合成画像は正確に再現されなくなる。よって、この場合には、出力枠Ｗ１〜Ｗ３は常に一体としてその位置を設定しなければならない。しかし、出力枠Ｗ１〜Ｗ３が実際の出力範囲より小さく表示された場合、実際の出力範囲に対して遊びの部分が生じる。よって、技師の操作ミスにより各出力枠Ｗ１〜Ｗ３間に隙間が生じた場合でも、フィルム出力時には出力枠Ｗ１〜Ｗ３より大きい出力範囲でフィルム出力されるので、操作ミスによる隙間の領域が実際の出力範囲内に収まっていれば、合成画像の部分的な出力漏れはなくなる。
【００５２】
なお、本実施形態における画像出力システム１は、本発明を適用した好適な一例であり、これに限定されるものではない。
例えば、上記実施形態では、合成画像は技師の操作によりその合成位置を調整できることとしたが、制御装置２０側で合成画像を画像解析して重ね合わせる合成位置を判別し、当該合成位置で各撮影画像を自動的に合成することとしてもよい。
【００５３】
また、上記実施形態では、制御装置２０において表示制御手段及び出力制御手段を実現することとしたが、これに限らず、読影端末３０等の他の装置で実現することとしてもよいし、別途これらの手段を実現するための独立装置を設けることとしてもよい。
【図面の簡単な説明】
【００５４】
【図１】本実施の形態における画像出力システムのシステム構成を示す図である。
【図２】制御装置の内部構成を示す図である。
【図３】制御装置により実行される合成出力処理の流れを示すフローチャートである。
【図４】表示部に表示される操作画面例を示す図である。
【図５】表示部に表示される設定画面例を示す図である。
【図６】出力枠のサイズについて説明する図である。
【図７】出力枠の移動操作について説明する図である。
【図８】（ａ）は出力枠の設定例を示す図であり、（ｂ）はカットラインが出力されたフィルム例を示す図であり、（ｃ）はカットラインで裁断されたフィルムにより作成された結合フィルム例を示す図である。
【図９】裁断により除去する領域が黒く塗りつぶされたフィルム例を示す図である。
【図１０】従来の結合フィルムの作成方法について説明する図である。
【符号の説明】
【００５５】
１    画像出力システム
１０    画像生成装置
２０    制御装置
２１    制御部
２２    操作部
２３    表示部
２４    通信部
２５    プログラムメモリ
２６    画像メモリ
３０    読影端末
４０    フィルム出力装置
【図１】
2006175136.tif 000003
【図２】
2006175136.tif 000004
【図３】
2006175136.tif 000005
【図４】
2006175136.tif 000006
【図５】
2006175136.tif 000007
【図６】
2006175136.tif 000008
【図７】
2006175136.tif 000009
【図８】
2006175136.tif 000010
【図９】
2006175136.tif 000011
【図１０】
2006175136.tif 000012